(57)【要約】【課題】透明シート連続体の所定位置を簡単容易にしかも確実に検出することができる透明シート連続体を提供することを目的としている。【解決手段】一方の面が剥離処理された光透過性のある剥離紙１０１と、  剥離紙１０１の剥離処理された面に粘着剤１０２を介して所定間隔置きに仮着されてなる複数枚の光透過性のあるラベル片２と、を備え、  ラベル片２は、剥離紙１０１に仮着されている位置が分かるように、赤外線吸収剤Ｓが塗布されている。【選択図】図１
2017181910.tif 000002
【特許請求の範囲】
【請求項１】
光透過性のある透明シート連続体本体を備え、
前記透明シート連続体本体は、当該透明シート連続体本体の所定位置が分かるように、赤外線吸収剤を有してなる透明シート連続体。
【請求項２】
前記透明シート連続体本体には、当該透明シート連続体本体の所定位置が分かるように、赤外線吸収剤が塗布されてなる請求項１に記載の透明シート連続体。
【請求項３】
前記透明シート連続体本体には、当該透明シート連続体本体の所定位置が分かるように、赤外線吸収剤が混練された印刷が施されてなる請求項１に記載の透明シート連続体。
【請求項４】
前記透明シート連続体本体は、
一方の面が剥離処理された剥離紙と、
前記剥離紙の剥離処理された面に粘着剤を介して所定間隔置きに仮着されてなる複数枚のラベル片と、を備え、
前記ラベル片は、前記剥離紙に仮着されている位置が分かるように、赤外線吸収剤を有してなる請求項１〜３の何れか１項に記載の透明シート連続体。
【請求項５】
前記透明シート連続体本体は、
粘着剤で形成された粘着層を最下層に有し、該粘着剤に対して剥離性を有する剥離層を最上層に有する積層体からなる請求項１〜３の何れか１項に記載の透明シート連続体。
【請求項６】
前記透明シート連続体本体は、
帯状の包装用フィルムを備えてなる請求項１〜３の何れか１項に記載の透明シート連続体。
【発明の詳細な説明】
【技術分野】
【０００１】
本発明は、透明シート連続体に関し、特に、光透過性のある透明シート連続体であっても、当該透明シート連続体の所定位置を簡単容易にしかも確実に検出することができる透明シート連続体に関する。
【背景技術】
【０００２】
従来の透明シート連続体として、例えば、図５に示すラベル連続体が知られている。このラベル連続体１００は、図５に示すように、一方の面（表面）が剥離処理された光透過性のある帯状の剥離紙１０１に、粘着剤１０２を介して、光不透過性で略矩形状の複数のラベル片１０３が一定間隔をおいて仮着されているものである。そして、このようなラベル連続体１００は、熱転写プリンターでサーマルヘッドによりラベル片１０３に印字されたり、ラベル貼付装置などを用いて、ラベル片１０３を剥離紙１０１より剥がして被貼付物に貼り付け等されたりするものである。
【０００３】
ところで、このようにラベル連続体１００に印字したり、ラベル片１０３を剥離紙１０１より剥がしたりする際、剥離紙１０１に仮着されているラベル片１０３の位置を知る必要がある。このラベル片１０３の位置を知る方法として、例えば、特許文献１に記載のような方法が知られている。
【０００４】
この特許文献１に記載の方法を、図５を用いて説明すると、図示しない供給リールよりＹ１００方向に供給されるラベル連続体１００のラベル片１０３の位置は、図５（ｂ），（ｃ）に示す射光部２００と、受光部２０１にて検出される。この射光部２００は、図５（ｂ），（ｃ）に示すように、ラベル片１０３が通過する領域の上側に配置され、受光部２０１は、ラベル片１０３が通過する領域の下側に配置されるものである。そして、射光部２００より発せられる赤外線からなるセンサ光Ｌを、図５（ｂ）に示すように、受光部２０１にて受光すると、その位置にラベル片１０３が存在しないことが検出される。そしてさらに、図５（ｃ）に示すように、センサ光Ｌを受光部２０１にて受光しない、すなわち、光不透過性であるラベル片１０３にてセンサ光Ｌが遮られると、その受光しない位置にラベル片１０３が位置する事が検出されるというものである。
【先行技術文献】
【特許文献】
【０００５】
【特許文献１】特開２００３−２４６５４９号公報
【発明の概要】
【発明が解決しようとする課題】
【０００６】
しかしながら、上記のような方法は、ラベル片１０３が光透過性のある材質（例えば、透明フィルム）で形成されていた場合、射光部２００より発せられるセンサ光Ｌがラベル片１０３を透過してしまい、もって、受光部２０１にてそのセンサ光Ｌを受光してしまうこととなる。それゆえ、上記の方法を用いた場合、ラベル片１０３の位置を確認することができないという問題があった。
【０００７】
そこで、上記のような方法を用いず、ラベル片１０３に目印を付け、その目印を検出するということが考えられる。
【０００８】
しかしながら、上記のような方法では、ラベル片１０３に目印を付ける工程が増えるばかりかそれを検出する装置を新たに設ける必要があり、検出方法が非常に煩雑になると言う問題がある。
【０００９】
そこで、ラベル片１０３に目印を付けるのではなく、ラベル片１０３に既に印刷されているその印刷部分に向って、射光部２００より発せられるセンサ光Ｌを照射させるということが考えられる。すなわち、その印刷部分にセンサ光Ｌを照射させれば、その印刷部分がセンサ光Ｌを遮り、もって、受光部２０１にてセンサ光Ｌが受光されず、ラベル片１０３の位置が検出されるのではないかというものである。
【００１０】
しかしながら、上記のような方法は、ラベル片１０３に既に印刷されているその印刷部分の感度（濃淡）に左右され、その印刷部分が薄いと、センサ光Ｌを透過してしまう可能性があり、もって、検出精度が安定しないという問題がある。
【００１１】
そこで、ラベル片１０３では無く、剥離紙１０１に目印を付けるという方法が考えられる。すなわち、図６に示すように、剥離紙１０１の剥離処理されていない他方の面（裏面）に、一定間隔をおいて、センサ光Ｌを透過させない印刷部１０１ａをラベル片１０３の背面に位置するように設けるというものである。このようにすれば、図６（ａ）に示すように、受光部２０１にてセンサ光Ｌを受光すると、その位置にラベル片１０３が存在しないことが検出され、そして、図６（ｂ）に示すように、センサ光Ｌを受光部２０１にて受光しない、すなわち、印刷部１０１ａにて遮られると、その受光しない位置にラベル片１０３が位置する事が検出されるというものである。
【００１２】
しかしながら、上記のような方法は、ラベル片１０３の背面に位置するように、印刷部１０１ａを設けることが困難であるばかりか、印刷部１０１ａを設けるという工程が増えるため、検出方法が非常に煩雑になるという問題がある。
【００１３】
そして他方で、上述のような問題らは、ラベル連続体に限らず、台紙なしラベルの連続体や、包装用フィルムの連続体など、透明シート連続体全般について言えることである。
【００１４】
そこで、本発明は、上記問題に鑑み、透明シート連続体の所定位置を簡単容易にしかも確実に検出することができる透明シート連続体を提供することを目的としている。
【課題を解決するための手段】
【００１５】
上記本発明の目的は、以下の手段によって達成される。なお、括弧内は、後述する実施形態の参照符号を付したものであるが、本発明はこれに限定されるものではない。
【００１６】
請求項１の透明シート連続体によれば、光透過性のある透明シート連続体本体（ラベル連続体本体１０Ａ、台紙なしラベル連続体本体１０Ｂ、包装用フィルム連続体本体１０Ｃ参照）を備え、
前記透明シート連続体本体（ラベル連続体本体１０Ａ、台紙なしラベル連続体本体１０Ｂ、包装用フィルム連続体本体１０Ｃ参照）は、当該透明シート連続体本体（ラベル連続体本体１０Ａ、台紙なしラベル連続体本体１０Ｂ、包装用フィルム連続体本体１０Ｃ参照）の所定位置が分かるように、赤外線吸収剤（Ｓ）を有してなることを特徴としている。
【００１７】
また、請求項２の発明によれば、上記請求項１に記載の透明シート連続体において、前記透明シート連続体本体（ラベル連続体本体１０Ａ、台紙なしラベル連続体本体１０Ｂ、包装用フィルム連続体本体１０Ｃ参照）には、当該透明シート連続体本体（ラベル連続体本体１０Ａ、台紙なしラベル連続体本体１０Ｂ、包装用フィルム連続体本体１０Ｃ参照）の所定位置が分かるように、赤外線吸収剤（Ｓ）が塗布されてなることを特徴としている。
【００１８】
一方、請求項３の発明によれば、上記請求項１に記載の透明シート連続体において、前記透明シート連続体本体（ラベル連続体本体１０Ａ、台紙なしラベル連続体本体１０Ｂ、包装用フィルム連続体本体１０Ｃ参照）には、当該透明シート連続体本体（ラベル連続体本体１０Ａ、台紙なしラベル連続体本体１０Ｂ、包装用フィルム連続体本体１０Ｃ参照）の所定位置が分かるように、赤外線吸収剤（Ｓ）が混練された印刷が施されてなることを特徴としている。
【００１９】
他方、請求項４の発明によれば、上記請求項１〜３の何れかに記載の透明シート連続体において、前記透明シート連続体本体（ラベル連続体本体１０Ａ参照）は、
一方の面が剥離処理された剥離紙（１０１）と、
前記剥離紙（１０１）の剥離処理された面に粘着剤（１０２）を介して所定間隔置きに仮着されてなる複数枚のラベル片（２）と、を備え、
前記ラベル片（２）は、前記剥離紙（１０１）に仮着されている位置が分かるように、赤外線吸収剤（Ｓ）を有してなることを特徴としている。
【００２０】
また、請求項５の発明によれば、上記請求項１〜３の何れか１項に記載の透明シート連続体において、前記透明シート連続体本体（台紙なしラベル連続体本体１０Ｂ参照）は、
粘着剤で形成された粘着層（１２）を最下層に有し、該粘着剤に対して剥離性を有する剥離層（１４）を最上層に有する積層体からなることを特徴としている。
【００２１】
そして、請求項６の発明によれば、上記請求項１〜３の何れか１項に記載の透明シート連続体において、前記透明シート連続体本体（包装用フィルム連続体本体１０Ｃ参照）は、
帯状の包装用フィルムを備えてなることを特徴としている。
【発明の効果】
【００２２】
次に、本発明の効果について、図面の参照符号を付して説明する。なお、括弧内は、後述する実施形態の参照符号を付したものであるが、本発明はこれに限定されるものではない。
【００２３】
請求項１の発明によれば、光透過性のある透明シート連続体本体（ラベル連続体本体１０Ａ、台紙なしラベル連続体本体１０Ｂ、包装用フィルム連続体本体１０Ｃ参照）は、センサ光（Ｌ）を透過するものの、当該透明シート連続体本体（ラベル連続体本体１０Ａ、台紙なしラベル連続体本体１０Ｂ、包装用フィルム連続体本体１０Ｃ参照）の所定位置が分かるように、赤外線吸収剤（Ｓ）を有しているから、光透過性のある透明シート連続体本体（ラベル連続体本体１０Ａ、台紙なしラベル連続体本体１０Ｂ、包装用フィルム連続体本体１０Ｃ参照）であっても、赤外線吸収剤（Ｓ）にてセンサ光（Ｌ）が吸収されることとなる。これにより、光透過性のある透明シート連続体本体（ラベル連続体本体１０Ａ、台紙なしラベル連続体本体１０Ｂ、包装用フィルム連続体本体１０Ｃ参照）であっても、透明シート連続体の所定位置を簡単容易にしかも確実に検出することができる。
【００２４】
また、請求項２の発明によれば、透明シート連続体本体（ラベル連続体本体１０Ａ、台紙なしラベル連続体本体１０Ｂ、包装用フィルム連続体本体１０Ｃ参照）に赤外線吸収剤（Ｓ）を塗布するだけで、透明シート連続体の所定位置を簡単容易にしかも確実に検出することができる。
【００２５】
さらに、請求項３の発明によれば、透明シート連続体本体（ラベル連続体本体１０Ａ、台紙なしラベル連続体本体１０Ｂ、包装用フィルム連続体本体１０Ｃ参照）に赤外線吸収剤（Ｓ）を混練したインクを用いて印刷するだけで、透明シート連続体の所定位置を簡単容易にしかも確実に検出することができる。さらに、赤外線吸収剤（Ｓ）をインクに混練しているため、赤外線吸収剤（Ｓ）のみ使用する場合に比べて赤外線吸収剤（Ｓ）の使用量を低減させることができる。
【００２６】
なお、このような透明シート連続体としては、請求項４に記載のラベル連続体（１Ａ）、請求項５に記載の台紙なしラベル連続体（１Ｂ）、請求項６に記載の包装用フィルム連続体（１Ｃ）が好適である。
【図面の簡単な説明】
【００２７】
【図１】本発明の第１実施形態に係る透明シート連続体のうちラベル連続体に関し、（ａ）は赤外線吸収剤を有していないラベル片を備えるラベル連続体の側面図、（ｂ）は塗布部によって赤外線吸収剤が塗布されたラベル片を備えるラベル連続体の側面図、（ｃ）は射光部によって発せられたセンサ光が赤外線吸収剤に吸収されている状態を示すラベル連続体の側面図である。
【図２】本発明の第２実施形態に係る透明シート連続体のうちラベル連続体に関し、（ａ）は赤外線吸収剤を有していないラベル片を備えるラベル連続体の側面図、（ｂ）は印刷部によって赤外線吸収剤が混練された印刷が施されたラベル片を備えるラベル連続体の側面図、（ｃ）は射光部にて発せられたセンサ光が赤外線吸収剤に吸収されている状態を示すラベル連続体の側面図である。
【図３】本発明の第３実施形態に係る透明シート連続体のうち台紙なしラベル連続体に関し、（ａ）は赤外線吸収剤を有していない台紙なしラベル連続体の断面図、（ｂ）は塗布部によって赤外線吸収剤が塗布された台紙なしラベル連続体の断面図、（ｃ）は射光部にて発せられたセンサ光が赤外線吸収剤に吸収されている状態を示す台紙なしラベル連続体の断面図である。
【図４】本発明の第４実施形態に係る透明シート連続体のうち包装用フィルム連続体に関し、（ａ）は赤外線吸収剤を有していない包装用フィルム連続体の断面図、（ｂ）は塗布部によって赤外線吸収剤が塗布された包装用フィルム連続体の断面図、（ｃ）は射光部にて発せられたセンサ光が赤外線吸収剤に吸収されている状態を示す包装用フィルム連続体の断面図である。
【図５】（ａ）は従来のラベル連続体を示す平面図、（ｂ）は射光部にて発せられたセンサ光が剥離紙を透過して受光部にて受光されている状態を示す従来のラベル連続体の側面図、（ｃ）は射光部にて発せられたセンサ光がラベル片にて遮られている状態を示す従来のラベル連続体の側面図である。
【図６】（ａ）は剥離紙の裏面に印刷部が施された従来のラベル連続体を示す側面図、（ｂ）は射光部にて発せられたセンサ光が印刷部にて遮られている状態を示す従来のラベル連続体の側面図である。
【発明を実施するための形態】
【００２８】
＜第１実施形態＞
以下、本発明に係る透明シート連続体の第１実施形態を、図１を参照して具体的に説明する。なお、以下の説明において、上下左右の方向を示す場合は、図示正面から見た場合の上下左右をいうものとし、従来の構成と同一の構成には、同一の符号を付すものとする。
【００２９】
図１は、透明シート連続体のうちラベル連続体１Ａに関するもので、このラベル連続体１Ａは、図１に示すように、光透過性のあるラベル連続体本体１０Ａを備えている。このラベル連続体本体１０Ａは、一方の面（表面）が剥離処理された帯状の剥離紙１０１に、粘着剤１０２を介して、複数の略矩形状のラベル片２が一定間隔をおいて仮着されている。
【００３０】
剥離紙１０１は、上記センサ光Ｌを透過可能な光透過性のある材質からなり、例えば、上質紙、アート紙、コート紙、クラフト紙、これらの紙基材にポリエチレンなどの熱可塑性樹脂をラミネートしたラミネート紙などの紙類等で形成されている。そして、剥離紙１０１の粘着剤１０２と接する一方の面（表面）には、主としてシリコーンを用いた剥離剤層を設けた剥離処理が施されている。
【００３１】
一方、粘着剤１０２は、上記センサ光Ｌを透過可能な光透過性のある材質からなり、例えば、ゴム系粘着剤、アクリル系粘着剤、シリコーン系粘着剤、エマルジョン型粘着剤、有機溶剤を使用した溶剤型粘着剤、ホットメルト型粘着剤等で形成されている。
【００３２】
また、ラベル片２は、上記センサ光Ｌを透過可能な光透過性のある透明ラベルからなり、例えば、透明フィルム等で形成されている。そしてさらに、このラベル片２は、図１（ｂ），（ｃ）に示すように、赤外線吸収剤Ｓを有している。この赤外線吸収剤Ｓは、赤外線を吸収する化合物で、例えば、ニトロソ化合物及びその金属錯塩、シアニン系化合物、スクワリリウム系化合物、チオールニッケル錯塩系化合物、フタロシアニン系化合物、ナフタロシアニン系化合物、トリアリールメタン系化合物、イモニウム系化合物、ジイモニウム系化合物、ナフトキノン系化合物、アントラキノン系化合物、アミノ化合物、アミニウム塩系化合物等で形成されている。
【００３３】
かくして、上記のように構成されるラベル連続体１Ａは、図１（ａ）に示すように、図示しない供給リールよりＹ１方向に供給される。なお、この際、ラベル片２は、赤外線吸収剤Ｓをまだ有していない。
【００３４】
次いで、このように供給されたラベル連続体１Ａが、図１（ｂ）に示すように、Ｙ２方向に搬送されると、塗布部Ｔが配置されている領域にさしかかる。この塗布部Ｔは、ラベル片２が通過する領域の上側に配置されているもので、図示しない吐出口より赤外線吸収剤Ｓが吐出できるようになっている。これにより、図１（ｂ）に示すように、ラベル片２の全面に塗布部Ｔにより赤外線吸収剤Ｓが塗布されることとなり、もって、ラベル片２が赤外線吸収剤Ｓを有することとなる。
【００３５】
次いで、赤外線吸収剤Ｓを有するラベル片２を備えたラベル連続体１Ａが、図１（ｃ）に示すように、Ｙ３方向に搬送されると、射光部２００，受光部２０１が配置されている領域にさしかかる。この射光部２００は、ラベル片２が通過する領域の上側に配置され、受光部２０１は、ラベル片２が通過する領域の下側に配置されるものである。
【００３６】
かくして、射光部２００より赤外線からなるセンサ光Ｌが発せられると、図１（ｃ）に示すように、赤外線吸収剤Ｓにてそのセンサ光Ｌが吸収され、もって、センサ光Ｌを受光部２０１にて受光しないこととなる。これにより、剥離紙１０１に仮着されているラベル片２の位置が分かることとなる。すなわち、ラベル片２が仮着されていない剥離紙１０１部分は、赤外線吸収剤Ｓが塗布されていないため、従来（図５（ｂ）参照）のように、受光部２０１にてセンサ光Ｌを受光することができる。その一方で、赤外線吸収剤Ｓが塗布されているラベル片２の部分は、赤外線吸収剤Ｓにてセンサ光Ｌが吸収されるため、受光部２０１にてセンサ光Ｌを受光することができないこととなる。それゆえ、剥離紙１０１に仮着されているラベル片２の位置が分かることとなる。
【００３７】
しかして、以上説明した本実施形態によれば、剥離紙１０１はセンサ光Ｌを透過するものの、ラベル片２には赤外線吸収剤Ｓが全面に塗布されているから、ラベル片２がセンサ光Ｌを透過するものであっても赤外線吸収剤Ｓにてセンサ光Ｌが吸収されることとなる。これにより、光透過性のあるラベル片２であっても、ラベル片２の全面に赤外線吸収剤Ｓを塗布するだけで、剥離紙１０１に仮着されているラベル片２の位置を簡単容易にしかも確実に検出することができる。
【００３８】
なお、本実施形態においては、赤外線吸収剤Ｓをラベル片２の全面に塗布する例を示したが、それに限らず、部分的に塗布しても良い。しかしながら、ラベル片２の全面に赤外線吸収剤Ｓを塗布した方が好ましい。センサ光Ｌを赤外線吸収剤Ｓにて確実に吸収することができ、もって、より確実に剥離紙１０１に仮着されているラベル片２の位置を検出することができるためである。
【００３９】
また、本実施形態のように、赤外線吸収剤Ｓをラベル片２に塗布する場合、赤外線吸収剤は、透明なもの、或いは、赤外線吸収剤を塗布した際、僅かに着色する程度のものが好ましい。着色している赤外線吸収剤Ｓをラベル片２に塗布すると、図示しない後工程の印刷工程で、ラベル片２に印刷をしても、着色してはいけない箇所に着色している可能性があり、もって、所望の印刷をすることができず不良品となる可能性があるためである。
【００４０】
それゆえ、赤外線吸収剤Ｓをラベル片２に塗布する場合、透明、あるいは、赤外線吸収剤を塗布した際、僅かに着色する程度の赤外線吸収剤Ｓを用いるのが好ましい。なお、着色している赤外線吸収剤Ｓを用いる場合、以下に示す第２実施形態の方法を用いるのが好ましい。
【００４１】
＜第２実施形態＞
この本発明に係る透明シート連続体の第２実施形態を、図２を参照して説明する。なお、第１実施形態と同一構成については、同一の符号を付し、説明は省略する。
【００４２】
第２実施形態と第１実施形態の異なる点は、ラベル片２が赤外線吸収剤Ｓを有する方法が異なるだけで、それ以外は同一である。すなわち、図２（ａ）に示すように、図示しない供給リールよりＹ５方向にまだ赤外線吸収剤Ｓを有していないラベル連続体１Ａが供給され、図２（ｂ）に示すように、Ｙ６方向に搬送されると、印刷部Ｐ（図示ではドラム式を例示）が配置されている領域にさしかかる。この印刷部Ｐは、インクを用いて、文字、記号、図形またはバーコード等のような情報をラベル片２に印刷することができるものである。このインクには、赤外線吸収剤Ｓが混練されており、印刷部Ｐによってラベル片２に文字、記号、図形またはバーコード等のような情報が印刷されると、ラベル片２が赤外線吸収剤Ｓを有することとなる。
【００４３】
次いで、赤外線吸収剤Ｓを有するラベル片２を備えたラベル連続体１Ａが、図２（ｃ）に示すように、Ｙ７方向に搬送されると、射光部２００，受光部２０１が配置されている領域にさしかかる。これにより、射光部２００より赤外線からなるセンサ光Ｌが発せられると、図２（ｃ）に示すように、赤外線吸収剤Ｓにてそのセンサ光Ｌが吸収され、もって、センサ光Ｌを受光部２０１にて受光しないこととなる。これにより、剥離紙１０１に仮着されているラベル片２の位置が分かることとなる。すなわち、ラベル片２が仮着されていない剥離紙１０１部分は、赤外線吸収剤Ｓが混練されているインクによって印刷されていないため、従来（図５（ｂ）参照）のように、受光部２０１にてセンサ光Ｌを受光することができる。その一方で、赤外線吸収剤Ｓが混練されているインクによって印刷されているラベル片２の部分は、赤外線吸収剤Ｓにてセンサ光Ｌが吸収されるから、受光部２０１にてセンサ光Ｌを受光することができないこととなる。それゆえ、剥離紙１０１に仮着されているラベル片２の位置が分かることとなる。
【００４４】
しかして、以上説明した本実施形態においても、剥離紙１０１はセンサ光Ｌを透過するものの、ラベル片２には赤外線吸収剤Ｓが混練された印刷が施されているから、ラベル片２がセンサ光Ｌを透過するものであっても赤外線吸収剤Ｓにてセンサ光Ｌが吸収されることとなる。これにより、光透過性のあるラベル片２であっても、ラベル片２に赤外線吸収剤Ｓを混練したインクを用いて印刷するだけで、剥離紙１０１に仮着されているラベル片２の位置を簡単容易にしかも確実に検出することができる。
【００４５】
また、本実施形態によれば、ラベルである以上、何らかの印刷は必ずなされるため、第１実施形態のように、赤外線吸収剤Ｓをラベル片２に塗布する工程を新たに設ける必要がなく、又、ラベル片２の全面に赤外線吸収剤Ｓを塗布する必要がないため、赤外線吸収剤Ｓの使用量を低減させることができる。
【００４６】
ところで、第１実施形態及び第２実施形態において示したラベル片は、光透過性のあるものであればどのようなものでも良く、例えば、透明な感熱記録体からなるラベル片であっても良い。
【００４７】
＜第３実施形態＞
次に、本発明に係る透明シート連続体の第３実施形態を、図３を参照して具体的に説明する。なお、第１実施形態及び第２実施形態と同一構成については、同一の符号を付し、説明は省略する。
【００４８】
第３実施形態は、透明シート連続体のうち台紙なしラベル連続体に関するもので、図３（ａ）に示すように、台紙なしラベル連続体１Ｂは、光透過性のある台紙なしラベル連続体本体１０Ｂを備えている。この台紙なしラベル連続体本体１０Ｂは、上記センサ光Ｌを透過可能な光透過性のある紙素材で形成された基材層１１と、この基材層１１の下層側（図示下面）にこの台紙なしラベル連続体を被貼付物に貼り付けるための上記センサ光Ｌを透過可能な光透過性のある粘着剤を積層して形成された粘着層１２と、この基材層１１の上層側（図示上面）に形成された商品名、コード、金額、年月日、社名等がサーマルヘッド等によって印字される上記センサ光Ｌを透過可能な光透過性のある感熱層１３と、この感熱層１３の上層側（最上層）に粘着層１２に対して剥離性を備えるシリコーン樹脂を主成分とする上記センサ光Ｌを透過可能な光透過性のある剥離剤を積層して形成された剥離層１４とで構成されている。なお、この台紙なしラベル連続体本体１０Ｂには、所定の大きさに容易に切断できるように、切断線として、幅方向に一定間隔置きに複数のミシン目１０Ｂａが互いに平行になるように設けられている。
【００４９】
かくして、このような台紙なしラベル連続体１Ｂは、図３（ａ）に示すように、図示しない供給リールよりＹ８方向に供給される。
【００５０】
次いで、このように供給された台紙なしラベル連続体１Ｂが、図３（ｂ）に示すように、Ｙ９方向に搬送されると、塗布部Ｔが配置されている領域にさしかかる。この塗布部Ｔは、台紙なしラベル連続体１Ｂが通過する領域の上側に配置されているもので、図示しない吐出口より赤外線吸収剤Ｓが吐出できるようになっている。これにより、図３（ｂ）に示すように、剥離層１４の一部に塗布部Ｔにより赤外線吸収剤Ｓが塗布されることとなり（図示では、ミシン目１０Ｂａ部分近傍に赤外線吸収剤Ｓが塗布されないようにしている）、もって、剥離層１４が赤外線吸収剤Ｓを有することとなる。
【００５１】
次いで、赤外線吸収剤Ｓを有する剥離層１４を備えた台紙なしラベル連続体１Ｂが、図３（ｃ）に示すように、Ｙ１０方向に搬送されると、射光部２００，受光部２０１が配置されている領域にさしかかる。この射光部２００は、台紙なしラベル連続体１Ｂが通過する領域の上側に配置され、受光部２０１は、台紙なしラベル連続体１Ｂが通過する領域の下側に配置されるものである。
【００５２】
かくして、射光部２００より赤外線からなるセンサ光Ｌが発せられると、図３（ｃ）に示すように、赤外線吸収剤Ｓにてそのセンサ光Ｌが吸収され、もって、センサ光Ｌを受光部２０１にて受光しないこととなる。これにより、台紙なしラベル連続体１Ｂの所定位置が分かることとなる。
【００５３】
しかして、以上説明した本実施形態においても、台紙なしラベル連続体本体１０Ｂはセンサ光Ｌを透過するものの、剥離層１４には赤外線吸収剤Ｓが塗布されているから、赤外線吸収剤Ｓにてセンサ光Ｌが吸収されることとなる。これにより、光透過性のある台紙なしラベル連続体本体１０Ｂであっても、剥離層１４に赤外線吸収剤Ｓを塗布するだけで、台紙なしラベル連続体１Ｂの所定位置を簡単容易にしかも確実に検出することができる。
【００５４】
なお、本実施形態においては、台紙なしラベル連続体１Ｂとして、感熱層１３を形成する例を示したが、それに限らず、感熱層１３を形成しなくとも良い。この際、基材層１１と剥離層１４との間に図２に示すような印刷部Ｐを用いて、インクによって、文字、記号、図形またはバーコード等のような情報が予め印刷されることとなる。この印刷の際、赤外線吸収剤Ｓが混練されたインクを用いれば、印刷部Ｐによって文字、記号、図形またはバーコード等のような情報が印刷されると、基材層１１と剥離層１４との間に赤外線吸収剤Ｓが混練された印刷が施されることとなる。しかして、このようにしても、赤外線吸収剤Ｓにてセンサ光Ｌが吸収されることとなるから、台紙なしラベル連続体１Ｂの所定位置を簡単容易にしかも確実に検出することができる。
【００５５】
また、本実施形態においては、ミシン目１０Ｂａを設ける例を示したが、それに限らず、ミシン目を設けなくとも良い。
【００５６】
ところで、第１実施形態〜第３実施形態にて示した方法は、ラベル片製造時に印刷される印刷機、又は、ラベル貼付機、或いは、ラベル片製造後ユーザにより印字されるラベル印字機等に適用可能である。
【００５７】
＜第４実施形態＞
次に、本発明に係る透明シート連続体の第４実施形態を、図４を参照して具体的に説明する。なお、第１実施形態〜第３実施形態と同一構成については、同一の符号を付し、説明は省略する。
【００５８】
第４実施形態は、透明シート連続体のうち苺用パック等の深みのあるプラスチック容器の蓋材として用いられたり、個別包装された複数の容器を一纏めにするために用いられたりするいわゆる掛け紙として使用される包装用フィルム連続体に関するもので、図４（ａ）に示すように、包装用フィルム連続体１Ｃは、光透過性のある帯状の包装用フィルムからなる包装用フィルム連続体本体１０Ｃを備えている。この包装用フィルム連続体本体１０Ｃは、上記センサ光Ｌを透過可能な光透過性のあるポリエチレンテレフタレート（ＰＥＴ）で形成された透明樹脂層１５が形成され、その最下層側には、サーマルヘッド等によって文字、記号、図形またはバーコード等のような情報が印字される感熱層１６が積層されている。
【００５９】
かくして、このような包装用フィルム連続体１Ｃは、図４（ａ）に示すように、図示しない供給リールよりＹ１１方向に供給される。
【００６０】
次いで、このように供給された包装用フィルム連続体１Ｃが、図４（ｂ）に示すように、Ｙ１２方向に搬送されると、塗布部Ｔが配置されている領域にさしかかる。この塗布部Ｔは、包装用フィルム連続体１Ｃが通過する領域の上側に配置されているもので、図示しない吐出口より赤外線吸収剤Ｓが吐出できるようになっている。これにより、図４（ｂ）に示すように、透明樹脂層１５の一部（適当間隔又は所定間隔置き）に塗布部Ｔにより赤外線吸収剤Ｓが塗布されることとなり、もって、透明樹脂層１５が赤外線吸収剤Ｓを有することとなる。
【００６１】
次いで、赤外線吸収剤Ｓを有する透明樹脂層１５を備えた包装用フィルム連続体１Ｃが、図４（ｃ）に示すように、Ｙ１３方向に搬送されると、射光部２００，受光部２０１が配置されている領域にさしかかる。この射光部２００は、包装用フィルム連続体１Ｃが通過する領域の上側に配置され、受光部２０１は、包装用フィルム連続体１Ｃが通過する領域の下側に配置されるものである。
【００６２】
かくして、射光部２００より赤外線からなるセンサ光Ｌが発せられると、図４（ｃ）に示すように、赤外線吸収剤Ｓにてそのセンサ光Ｌが吸収され、もって、センサ光Ｌを受光部２０１にて受光しないこととなる。これにより、包装用フィルム連続体１Ｃの所定位置が分かることとなる。
【００６３】
しかして、以上説明した本実施形態においても、包装用フィルム連続体本体１０Ｃはセンサ光Ｌを透過するものの、透明樹脂層１５には赤外線吸収剤Ｓが塗布されているから、赤外線吸収剤Ｓにてセンサ光Ｌが吸収されることとなる。これにより、光透過性のある包装用フィルム連続体本体１０Ｃであっても、透明樹脂層１５に赤外線吸収剤Ｓを塗布するだけで、包装用フィルム連続体１Ｃの所定位置を簡単容易にしかも確実に検出することができる。
【００６４】
なお、本実施形態においては、包装用フィルム連続体１Ｃとして、感熱層１６を形成する例を示したが、それに限らず感熱層１６を形成しなくとも良い。この際、透明樹脂層１５に図２に示すような印刷部Ｐを用いて、インクによって、文字、記号、図形またはバーコード等のような情報が印刷されることとなる。この印刷の際、赤外線吸収剤Ｓが混練されたインクを用いれば、印刷部Ｐによって文字、記号、図形またはバーコード等のような情報が印刷されると、透明樹脂層１５に赤外線吸収剤Ｓが混練された印刷が施されることとなる。しかして、このようにしても、赤外線吸収剤Ｓにてセンサ光Ｌが吸収されることとなるから、包装用フィルム連続体１Ｃの所定位置を簡単容易にしかも確実に検出することができる。
【００６５】
なお、包装用フィルムとしては、本実施形態にて示した包装用フィルムに限らず、ピロー包装などに使用される包装用フィルムにも適用可能である。
【符号の説明】
【００６６】
１Ａ      ラベル連続体（透明シート連続体）
１Ｂ      台紙なしラベル連続体（透明シート連続体）
１Ｃ      包装用フィルム連続体（透明シート連続体）
２        ラベル片
１０Ａ    ラベル連続体本体（透明シート連続体本体）
１０Ｂ    台紙なしラベル連続体本体（透明シート連続体本体）
１０Ｃ    包装用フィルム連続体本体（透明シート連続体本田御）
１１      基材層
１２      粘着層
１３      感熱層
１４      剥離層
１５      透明樹脂層
１６      感熱層
１０１    剥離紙
１０２    粘着剤
Ｓ        赤外線吸収剤
Ｌ        センサ光
【図１】
2017181910.tif 000003
【図２】
2017181910.tif 000004
【図３】
2017181910.tif 000005
【図４】
2017181910.tif 000006
【図５】
2017181910.tif 000007
【図６】
2017181910.tif 000008